(57)【要約】【課題】シンプルな動作の組み合わせで信頼度表示を明確に報知し得る演出役物を備えた遊技機を提供する。【解決手段】演出役物２４に備えた突起状部２４ａ〜２４ｄが、回動支軸を中心に開閉動作する扇状に、かつ開いた状態で図柄表示装置３５の前側に段階的に傾動動作し得るように構成され、信頼度決定手段で決定された信頼度を、図柄表示装置３５側に開いた突起状部２４ａ〜２４ｄの本数、及び該状態を保持して図柄表示装置３５側に傾動する角度で表す。これにより、信頼度表示を明確に報知できる演出役物２４を可及的にシンプルにすることができる。【選択図】図１
2007105278.tif 000002
【特許請求の範囲】
【請求項１】
大当たり抽選を行う抽選手段を有する制御部を備えると共に、遊技領域に、遊技球を受け得る遊技球ステージ及び該ステージ上方に図柄表示部を露出させる開口部を有するユニット役物と、前記大当たり抽選の契機となる入賞が行われる入賞口と、を備える遊技機において、
前記制御部は、前記大当たり抽選の結果に関する大当たりとなる確率を示す信頼度を決定する信頼度決定手段を備え、
前記ユニット役物は、前記開口部の一側部に、該一側部から前記図柄表示部の前側に傾動自在な複数の突起状部を有する演出役物を備え、
前記複数の突起状部は、回動支軸を中心に開閉動作する扇状に、かつ開いた状態で前記図柄表示部の前側に段階的に傾動動作し得るように構成され、前記信頼度決定手段により決定された信頼度を、前記図柄表示部側に開いた前記突起状部の本数、及び該開いた状態を保持して前記図柄表示部側に傾動する角度で表してなる、
ことを特徴とする遊技機。
【請求項２】
前記図柄表示部側に傾動した前記突起状部が、予め設定された複数の色彩のうちの何れかで発光し得るように構成される、
ことを特徴とする請求項１に記載の遊技機。
【発明の詳細な説明】
【技術分野】
【０００１】
本発明は、パチンコ機等の遊技機に係り、詳しくはセンター飾り等のユニット役物を遊技領域に備えた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技領域の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から受け入れた遊技球を始動チャッカー側に導くように転動させる遊技球ステージ（以下、単に「ステージ」とも言う）を備えたものが存在する（例えば、特許文献２参照）。
【０００５】
【特許文献１】特開２００３−２３６２１０号公報
【特許文献２】特開２００１−３２７６７２号公報
【発明の開示】
【発明が解決しようとする課題】
【０００６】
ところで、上記特許文献２に記載されるようなパチンコ機では一般に、パチンコ機の前扉における遊技領域の周囲、或いは遊技領域内のセンター飾り自身に、いわゆる信頼度に応じて所定の契機で、派手な動作に加えて派手な発光駆動によって興趣を高め、遊技者の期待感を必要以上に高める演出役物が配設されたものがある。このような演出役物は、年々派手になる傾向にあり、刺激的過ぎる演出のみが慢性化すると、遊技者にとっての期待感が予想に反して低下するような虞もある。
【０００７】
そこで本発明は、シンプルな動作の組み合わせで信頼度表示を明確に報知し得る演出役物として構成し、もって上述した課題を解決した遊技機を提供することを目的とするものである。
【課題を解決するための手段】
【０００８】
請求項１に係る本発明は（例えば図１ないし図９参照）、大当たり抽選を行う抽選手段（５７）を有する制御部（５４）を備えると共に、遊技領域（３ａ）に、遊技球（Ｂａ）を受け得る遊技球ステージ（Ｓ）及び該ステージ（Ｓ）上方に図柄表示部（３５）を露出させる開口部（３６）を有するユニット役物（２３）と、前記大当たり抽選の契機となる入賞が行われる入賞口（２７）と、を備える遊技機（１）において、
前記制御部（５４）は、前記大当たり抽選の結果に関する大当たりとなる確率を示す信頼度を決定する信頼度決定手段（６８）を備え、
前記ユニット役物（２３）は、前記開口部（３６）の一側部（例えば右側部）に、該一側部から前記図柄表示部（３５）の前側に傾動自在な複数の突起状部（２４ａ，２４ｂ，２４ｃ，２４ｄ）を有する演出役物（２４）を備え、
前記複数の突起状部（２４ａ〜２４ｄ）は、回動支軸（７２）を中心に開閉動作する扇状に、かつ開いた状態で前記図柄表示部（３５）の前側に段階的に傾動動作し得るように構成され、前記信頼度決定手段（６８）により決定された信頼度を、前記図柄表示部（３５）側に開いた前記突起状部（２４ａ〜２４ｄ）の本数、及び該開いた状態を保持して前記図柄表示部（３５）側に傾動する角度で表してなる、
ことを特徴とする遊技機（１）にある。
【０００９】
なお、本発明における上記「図柄表示部の前側」とは、遊技機に対面して着座する遊技者に向かう側を意味する概念である。
【００１０】
請求項２に係る本発明は（例えば図２参照）、前記図柄表示部（３５）側に傾動した前記突起状部（２４ａ〜２４ｄ）が、予め設定された複数の色彩（例えば青色、黄色、緑色、赤色）のうちの何れかで発光し得るように構成される、
ことを特徴とする請求項１に記載の遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、演出役物に備えた複数の突起状部が、回動支軸を中心に開閉動作する扇状に、かつ開いた状態で前記図柄表示部の前側に段階的に傾動動作し得るように構成され、信頼度決定手段により決定された信頼度を、図柄表示部側に開いた突起状部の本数、及び該開いた状態を保持して図柄表示部側に傾動する角度で表すので、信頼度を派手で刺激的過ぎる照明演出とすることなく、図柄表示部側に開く突起状部の本数とその傾動する角度という二段階の機械的な動作の組み合わせで信頼度報知することができる。これにより、信頼度表示を明確に報知できる演出役物を可及的にシンプルにすることができる。
【００１３】
請求項２に係る本発明によると、図柄表示部側に傾動した突起状部が、予め設定された複数の色彩のうちの何れかで発光し得るように構成されるので、突起状部の二段階の動作の組み合わせで遊技者に信頼度を認識させつつ、傾動した突起状部を更に発光させ、その発光色の違いにより、例えばスーパーリーチ時の信頼度が極めて高いこと（所謂激熱演出であること）等を、遊技者に認識させることができる。
【発明を実施するための最良の形態】
【００１４】
以下、本発明に係る遊技機の実施形態として、遊技場等に設置されるパチンコ機を図面に沿って説明する。なお、後述する各実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。
【００１５】
図１は、本発明に係る実施の形態におけるパチンコ機１の外部構造を示す正面図である。本パチンコ機１は、同図に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１６】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれ配設されている。そして、前扉７の上部における放音装置１２の間には、演出用照明装置８が配設されている。
【００１７】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、打ち出された遊技球Ｂａを遊技盤３側に案内するガイドレールを示している。本パチンコ機１には、遊技中に遊技領域３ａにて入賞することなく落下してアウト口（図示せず）に進入した遊技球Ｂａをパチンコ機１の背面側に導くアウト球通路（図示せず）が設けられている。
【００１８】
そして、前扉７における下部中央には皿ユニット１６が設けられており、皿ユニット１６における右上部には、賞球及び貸球を含む遊技球Ｂａが供給される球供給口１７が設けられ、皿ユニット１６における右上部壁面には、球貸ボタン１９ａ及びプリペイドカード返却ボタン１９ｂが設けられている。皿ユニット１６の中央左部には、該皿ユニット１６上の遊技球Ｂａを発射装置付近から皿ユニット下部の球排出口（図示せず）を通して下方に排出するための第１球抜きボタン２０ａが配設されており、皿ユニット１６の中央下部には、皿ユニット１６上の遊技球Ｂａを球供給口１７付近から上記球排出口を通して下方に排出するための第２球抜きボタン２０ｂが配設されている。なお、上述のように、本実施形態の前扉７には、ガラス枠１０、皿ユニット１６及びその周辺、不図示の遊技盤保持枠等が含まれている。
【００１９】
また、前扉７における皿ユニット１６の右方下部の前壁部４８には、発射装置７２を操作して遊技球Ｂａを遊技盤３に向けて打ち出すための発射ハンドル２が設けられている。更に、皿ユニット１６の下部左方には、灰皿２１と遊技者参加ボタン２２とが配設されている。この遊技者参加ボタン２２の左右には、選択ボタン１８ａ，１８ｂがそれぞれ配設されている。
【００２０】
また、遊技領域３ａの中央部分には、遊技球ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７と、アタッカー５とが順次配設されている。
【００２１】
始動チャッカー２７は、大当たり抽選実行の契機となり得る入賞が行われるものであり、開放位置と閉止位置とに開閉動作するように始動チャッカー開閉ソレノイド７０（図９参照）によって作動させられる。始動チャッカー２７の直上方には、所謂命釘としての一対の障害釘３０が打ち込まれている。
【００２２】
アタッカー５は、大当たり発生時に開放され、遊技盤３の遊技領域３ａに打ち出されて転動落下する遊技球Ｂａを入賞させるものであり、大当たり発生中、例えば、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２３】
遊技領域３ａには、センター飾り２３の四方には風車３１が配設されており、遊技球ステージＳの下方における始動チャッカー２７の左側には、普通図柄作動ゲート（スルーゲート）３２が配設されている。この普通図柄作動ゲート３２は、始動チャッカー２７を開閉動作させるための抽選の契機となる遊技球通過が行われる役物である。
【００２４】
遊技領域３ａにおける普通図柄作動ゲート３２、入賞口２５，２６及び始動チャッカー２７等の周囲には、遊技球ステージＳから零れた遊技球Ｂａや、発射されてから遊技球ステージＳに関与せずに落下してくる遊技球Ｂａを適宜散らし、或いは入球に導くようにするための障害釘３３を含む多数の障害釘が打ち込まれている。
【００２５】
上記センター飾り２３は、遊技盤３側に固定された図柄表示装置（図柄表示部）３５を露出する開口（開口部）３６を中央部に、ワープ導入口３７を左上部に、該ワープ導入口３７に連通する放出口４を左下部に、遊技球ステージＳを開口３６の下側に、球放出口４９を該ステージＳの中央下部にそれぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は該ステージＳを介さず直接入球させ得るように遊技が進められる。
【００２６】
なお、上記「ワープ導入」という語句は、遊技領域３ａに打ち出された遊技球Ｂａを、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球Ｂａを始動チャッカー２７方向に導く役割を担っている。
【００２７】
次に、センター飾り２３について図１ないし図７を参照して詳細に説明する。なお、図２ないし図７は、本発明の特徴である演出役物２４の信頼度報知時の様子をそれぞれ示す正面図である。
【００２８】
図１ないし図７に示すように、センター飾り２３は、開口部３６の右側部に、該右側部から開口部３６の前側に傾動自在な複数の突起状部２４ａ，２４ｂ，２４ｃ，２４ｄを有する演出役物２４を有している。これら突起状部２４ａ〜２４ｄは、回動支軸７２（図２参照）を中心に開閉動作する扇状に、かつ開いた状態で図柄表示装置３５の前側に段階的に傾動動作し得るように構成されている。なお、本実施形態における上記「図柄表示装置３５の前側」とは、パチンコ機１に対面して着座する遊技者に向かう側を意味する概念である。
【００２９】
突起状部２４ａ〜２４ｄは、信頼度決定手段６８（図９参照）により決定された信頼度を、図柄表示装置３５側に開いた突起状部２４ａ〜２４ｄの本数、及び該開いた状態を保持して図柄表示装置３５側に傾動する角度で表すように構成されている。
【００３０】
センター飾り２３における開口部３６の右側部には、突起状部２４ａ，２４ｂ，２４ｃ，２４ｄを信頼度に応じて図柄表示装置３５の前側に傾動動作させる演出役物作動装置６６が配設されている。この演出役物作動装置６６は、演出役物２４を駆動するための駆動モータ６７（図９参照）と、該駆動モータ６７の回転を受けて突起状部２４ａ〜２４ｄを個別に又は全体的に傾動動作させるためのギヤ機構（図示せず）と、突起状部２４ａ〜２４ｄの傾動角度を検出して駆動モータ６７の作動にフィードバックするための傾動角検出手段７５と、を有している。
【００３１】
また、図柄表示装置３５側に傾動した突起状部２４ａ〜２４ｄは、予め設定された複数の色彩のうちの何れかで発光し得るように構成されている。突起状部２４ａ〜２４ｄは、それぞれ半透明状の合成樹脂材料から形成され、かつそれらの内部には、フルカラーＬＥＤからなる発光体７４（図９参照）が収納配置されている。このフルカラーＬＥＤは、赤、緑、青（ＲＧＢ）の光３原色を単一のパッケージ内に収容したもの、つまり、ＲＧＢを組み合わせた赤、緑、青に加えて赤紫、白、水色、黄色を有し、かつこれらに階調を加えたタイプのＬＥＤを意味する。
【００３２】
フルカラーＬＥＤの発光色は、青色、黄色、緑色、赤色の順に信頼度が高くなるように設定されており、後述する演出制御手段６４（図９参照）により、突起状部２４ａ〜２４ｄの傾動動作による信頼度報知の後、更に期待感を高める際に、フルカラーＬＥＤの発光状態（発光色の状態）が上記のいずれかの色彩で発光される。
【００３３】
ついで、本パチンコ機１の背面構造について図８を参照して説明する。同図は、本パチンコ機１の背面構造を示す背面図である。
【００３４】
図８に示すように、パチンコ機１の前扉７の背面における上部左方には、賞球タンク４３が取り付けられており、この賞球タンク４３の下方に、サブ基板（サブ制御基板）３８、主基板（主制御基板）４０、及び払出し制御基板５１がこの順に配置されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配置されている。パチンコ機１の前扉背面における左側部には、施錠装置１３が配設されている。
【００３５】
次に、本実施形態におけるパチンコ機１の制御系を図９に沿って説明する。なお、同図は本パチンコ機の制御系を示すブロック図である。
【００３６】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、図柄表示装置３５、演出役物作動装置６６及び発光体７４と、を備えている。
【００３７】
遊技制御装置５４は、図８に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００３８】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、表示制御手段６５、及び信頼度決定手段６８を備えている。
【００３９】
入賞判定手段５５は、発射ハンドル２の操作に応じて遊技領域３ａに打ち出された遊技球が始動チャッカー２７、入賞口２５，２６、アタッカー５等の何れかに入賞したとき、当該入賞があった旨を判定する。
【００４０】
入賞信号出力手段５６は、入賞判定手段５５によって入賞が判定されたとき、対応する始動チャッカー２７、入賞口２５，２６、アタッカー５等に入賞した旨の入賞信号を出力する。
【００４１】
抽選手段５７は、入賞信号出力手段５６からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００４２】
そして、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が図柄表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４３】
抽選手段５７はまた、抽選手段５７での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段５７は更に、抽選手段５７での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００４４】
遊技制御手段５９は、放音装置１２、及び演出用照明装置８，１１に放音、発光の演出をさせる契機となる指令を演出制御手段６４に送る。また、該遊技制御手段５９は、演出役物作動装置６６に演出動作をさせるべく、その契機となる指令を演出制御手段６４に送る。更に、遊技制御手段５９は、予め設定された演出データや、抽選手段５７での抽選結果に応じて、図柄表示装置３５に表示すべき演出内容に関する信号を、表示制御手段６５に送る。
【００４５】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４６】
そして保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００４７】
作動制御手段６１は、作動決定手段６３の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００４８】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００４９】
作動決定手段６３は、作動判定手段６２からの判定信号を受けて、始動チャッカー開閉ソレノイド７０、アタッカー開閉ソレノイド７１の作動開始を夫々に決定する。
【００５０】
演出制御手段６４は、遊技制御手段５９からの指令に応答して、放音装置１２を放音駆動し、演出用照明装置８，１１を発光させ、遊技者の聴覚や視覚に訴える演出を行う。また、演出制御手段６４は、遊技制御手段５９からの指令に応答して、演出役物２４に、信頼度決定手段６８で決定された信頼度に応じた信頼度演出（突起状部２４ａ〜２４ｄの傾動動作、発光体７４の発光駆動）をさせるように制御する。
【００５１】
また、表示制御手段６５は、遊技制御手段５９からの信号に従って、図柄表示装置３５を駆動し、大当たり抽選結果を中心とした内容等の演出を、遊技者の視覚に訴えるように演出表示する。
【００５２】
信頼度決定手段６８は、抽選手段５７での大当たり抽選の結果とは別に、予めテーブルデータとして用意された信頼度乱数から抽選によって、大当たりが当選する見かけ上の確率、つまり、大当たり抽選の結果に関する大当たりとなる確率を示す信頼度を、１０％、２０％、・・・８０％、９０％等のような数値として決定する。該信頼度決定手段６８は、信頼度乱数からの抽選を行うか否かを、始動チャッカー２７への入賞後に別途行う抽選によって決める。信頼度決定手段６８によって決められた確率の程度は、演出制御手段６４へ信号として送られる。
【００５３】
また、始動チャッカー開閉ソレノイド７０は、作動制御手段６１から送信された駆動信号に応答してプランジャ（図示せず）を進退動作させて、始動チャッカー２７を開閉動作させる。アタッカー開閉ソレノイド７１は、作動制御手段６１から送信された駆動信号に応答してプランジャ（図示せず）を進退動作させて、アタッカー５を開閉動作させる。
【００５４】
放音装置１２は、演出制御手段６４の制御に従ってスピーカー（図示せず）を駆動させ、演出に応じた効果音を発する。演出用照明装置８，１１は、演出制御手段６４の制御に従ってその内蔵する電飾ランプ（図示せず）を発光駆動（点灯、点滅）させ、演出に応じた照明を行う。図柄表示装置３５は、表示制御手段６５の制御に従って作動し、演出データや抽選手段５７での抽選結果に応じた演出表示を行う。
【００５５】
演出役物作動装置６６は、演出役物２４を駆動するための駆動モータ６７と、該駆動モータ６７の回転を受けて突起状部２４ａ〜２４ｄを個別に又は全体的に傾動動作させるためのギヤ機構（図示せず）と、突起状部２４ａ〜２４ｄの傾動角度を検出して駆動モータ６７の作動にフィードバックするための傾動角検出手段７５と、を有している。この傾動角検出手段７５は、突起状部２４ａ〜２４ｄのそれぞれの傾動角度を、各突起状部の回動支軸７２近傍に配置したセンサ（図示せず）の検知に基づいて検出する。
【００５６】
発光体７４は、前述したように、フルカラーＬＥＤからなるもので、演出制御手段６４の制御により、突起状部２４ａ〜２４ｄの傾動による信頼度報知の後、更に信頼度を高める際に、その発光状態が青色、黄色、緑色、赤色のうちのいずれかの色彩となるように発光させられる。
【００５７】
次に、本パチンコ機１による作用について、図１０のフローチャートを併せて参照しつつ説明する。
【００５８】
すなわち、本パチンコ機１に対面して着座した遊技者が発射ハンドル２を握り、適宜の角度に回動操作すると（ステップＳ１）、不図示の発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００５９】
つまり、遊技領域３ａに向けて打ち出された多数の遊技球Ｂａは、その一部がワープ導入口３７から導入されて放出口４から遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００６０】
ところで、上述したように始動チャッカー２７や入賞口２５，２６の何れかに遊技球Ｂａが入賞した場合、入賞判定手段５５が当該入賞を判定し、且つ入賞信号出力手段５６が入賞信号を出力する（ステップＳ２）。この際、保留手段６０は、保留球Ｈが０＜Ｈ＜５であるか否かを常時判定しており、０＜Ｈ＜５を満たすと判定したときには、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２７への入賞に応じた大当たり抽選の結果を保留球として記憶し、保留球数を１インクリメントする。
【００６１】
そして、ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００６２】
これにより、ステップＳ４において、図柄表示装置３５に表示されるべき当たり図柄がセットされ、抽選手段５７は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００６３】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、図柄表示装置３５に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００６４】
以上のようにして、遊技制御手段５９が、図柄表示装置３５に表示すべき演出内容に関する信号を、表示制御手段６５に送信することに基づき、表示制御手段６５は、図柄表示装置３５を適時駆動し、大当たり抽選結果に関する内容等を、遊技者の視覚に訴えるように演出表示することとなる（ステップＳ５）。
【００６５】
上記のような図柄表示装置３５での演出表示において、遊技制御手段５９が、演出制御手段６４に、演出役物２４に信頼度報知の演出をさせる契機となる指令を送っていれば、演出制御手段６４は、該指令を契機として、大当たり抽選の結果に関連する演出に対応するように演出させる信号を送信し、駆動モータ６７を駆動させる。
【００６６】
つまり、演出制御手段６４は、上記指令を契機として、遊技中に発生したリーチの大当たり当落の信頼度報知のため、信頼度決定手段６８からの信頼度が５１〜６０％程度であれば、図６に示すように、突起状部２４ａ〜２４ｄを一体的にまとめて最前側に突起状部２４ａが見える状態で図柄表示装置３５の前側に３０゜程度だけ傾動（一段階傾動動作）させる。そして、更に期待感を高める際には、図７に示すように７０゜程度まで傾動（二段階傾動動作）させる。この後、更に期待感を高める際には、信頼度に応じて予め設定されている通り、最も低い信頼度に対応する青色で突起状部２４ａを発光させ、一段階傾動動作を開始してから１５秒程度経過した時点で、突起状部２４ａ〜２４ｄを全て、図柄表示装置３５の前側から開口３６の右側部へ退避させる。
【００６７】
また、信頼度決定手段６８からの信頼度が６１〜７０％程度であれば、突起状部２４ｂ〜２４ｄを一体的にまとめ、かつ突起状部２４ａをこれらから所定角度（２０゜程度）開いた状態で、図柄表示装置３５の前側に３０゜程度だけ傾動（一段階傾動動作）させる。そして、更に期待感を高める際には、これらを７０゜程度まで傾動（二段階傾動動作）させる。演出制御手段６４は、この後、更に期待感を高める際には、黄色で突起状部２４ａ，２４ｂを発光させ、一段階傾動動作を開始してから１５秒程度経過した時点で、突起状部２４ａ〜２４ｄを全て、図柄表示装置３５の前側から開口３６の右側部へ退避させる。
【００６８】
信頼度決定手段６８からの信頼度が７１〜８０％程度であれば、突起状部２４ｃ，２４ｄを一体的にまとめ、かつ突起状部２４ａ及び２４ｂをこれらから所定角度（２０゜程度）ずつ開いた状態で、図４に示すように図柄表示装置３５の前側に３０゜程度だけ傾動（一段階傾動動作）させる。そして、更に期待感を高める際には、図５に示すように、これらを７０゜程度まで傾動（二段階傾動動作）させる。演出制御手段６４は、この後、更に期待感を高める際には、緑色で突起状部２４ａ，２４ｂ，２４ｃを発光させ、一段階傾動動作を開始してから１５秒程度経過した時点で、突起状部２４ａ〜２４ｄを全て、図柄表示装置３５の前側から開口３６の右側部へ退避させる。
【００６９】
また、信頼度決定手段６８からの信頼度が８１〜９０％程度であれば、突起状部２４ａ〜２４ｄの全てを所定角度（２０゜程度）ずつ開いた状態で、図２に示すように図柄表示装置３５の前側に３０゜程度だけ傾動（一段階傾動動作）させる。そして、更に期待感を高める際には、図３に示すように、これらを７０゜程度まで傾動（二段階傾動動作）させる。演出制御手段６４は、この後、更に期待感を高める際には、赤色で突起状部２４ａ〜２４ｄを発光させ、一段階傾動動作を開始してから１５秒程度経過した時点で、突起状部２４ａ〜２４ｄを全て、図柄表示装置３５の前側から開口３６の右側部へ退避させる。
【００７０】
これら信頼度報知の演出において、突起状部２４ａ〜２４ｄの傾動動作が一段階傾動動作のみで終了した場合は、上記した信頼度の各範囲における最も低いレベルであり、二段階傾動動作で終了した場合は信頼度が中程度のレベルであり、二段階傾動動作に続いて発光した場合は信頼度が最も高いレベルである。
【００７１】
スーパーリーチ等の演出の展開中に、上記信頼度報知の演出を視認した遊技者は、突起状部２４ａ〜２４ｄが何本開いた状態になるか、その傾動動作がどの段階まで続くか、発光するか否か、発光色は何色かによって、新奇で高い興趣を感じながら遊技を楽しむことができる。
【００７２】
そして、図柄表示装置３５の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００７３】
以上説明したように、本実施形態によれば、演出役物２４に備えた突起状部２４ａ〜２４ｄが、回動支軸７２を中心に開閉動作する扇状に、かつ開いた状態で図柄表示装置３５の前側に段階的に傾動動作し得るように構成され、信頼度決定手段６８により決定された信頼度を、図柄表示装置３５側に開いた突起状部２４ａ〜２４ｄの本数、及び該開いた状態を保持して図柄表示装置３５側に傾動する角度で表すので、信頼度を派手で刺激的過ぎる照明演出とすることなく、図柄表示装置３５側に開く突起状部の本数とその傾動する角度という二段階の機械的な動作の組み合わせで信頼度報知することができる。これにより、信頼度表示を明確に報知できる演出役物を可及的にシンプルにすることができる。
【００７４】
また、本実施の形態では、図柄表示装置３５側に傾動した突起状部２４ａ〜２４ｄが、予め設定された複数の色彩のうちの何れかで発光し得るように構成されるので、突起状部２４ａ〜２４ｄの二段階の動作の組み合わせで遊技者に信頼度を認識させつつ、傾動した突起状部２４ａ〜２４ｄを更に発光させ、その発光色の違いにより、例えばスーパーリーチ時の信頼度が極めて高いこと（所謂激熱演出であること）等を、遊技者に認識させることができる。
【００７５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７６】
【図１】本発明に係る実施形態におけるパチンコ機の外部構造を示す正面図である。
【図２】演出役物の信頼度報知時の様子を示す正面図である。
【図３】演出役物の信頼度報知時の様子を示す正面図である。
【図４】演出役物の信頼度報知時の様子を示す正面図である。
【図５】演出役物の信頼度報知時の様子を示す正面図である。
【図６】演出役物の信頼度報知時の様子を示す正面図である。
【図７】演出役物の信頼度報知時の様子を示す正面図である。
【図８】本実施形態におけるパチンコ機の背面構造を示す背面図である。
【図９】本パチンコ機の制御系を示すブロック図である。
【図１０】本パチンコ機の作用を説明するためのフローチャートである。
【符号の説明】
【００７７】
１：遊技機（パチンコ機）
２：発射ハンドル
３：遊技盤
３ａ：遊技領域
２３：ユニット役物（センター飾り）
２４：演出役物
２４ａ，２４ｂ，２４ｃ，２４ｄ：突起状部
２７：入賞口（始動チャッカー）
３５：図柄表示部（図柄表示装置）
３６：開口部（開口）
５４：制御部（遊技制御装置）
５７：抽選手段
６８：信頼度決定手段
７４：発光体
Ｂａ：遊技球
Ｓ：遊技球ステージ
【図１】
2007105278.tif 000003
【図２】
2007105278.tif 000004
【図３】
2007105278.tif 000005
【図４】
2007105278.tif 000006
【図５】
2007105278.tif 000007
【図６】
2007105278.tif 000008
【図７】
2007105278.tif 000009
【図８】
2007105278.tif 000010
【図９】
2007105278.tif 000011
【図１０】
2007105278.tif 000012